(57)【要約】【課題】本願発明は以下の課題を解決する。１．逆止め弁を用いた排水装置において、初期排水時の排水が排水管の外周から流下する場合でも、逆止め弁が円滑に開口するようにする。２．逆止め弁を用いた排水装置において、排水流量を向上させる。【解決手段】排水管２と、排水管２内に構成配置される、常時閉塞し、尚かつ排水が発生した際には開口する弁体３４を備えた逆止め弁３と、から構成される排水装置において、前記逆止め弁３より上流に、排水管２の内径を縮めて断面積を狭めた絞り機構５を構成した。【選択図】図１
2014163159.tif 000002
【特許請求の範囲】
【請求項１】
排水管２と、
排水管２内に構成配置される、常時閉塞し、尚かつ排水が発生した際には開口する弁体３４を備えた逆止め弁３と、
から構成される排水装置において、
前記逆止め弁３より上流に、排水管２の内径を縮めて断面積を狭めた絞り機構５を構成したことを特徴とする排水装置。
【請求項２】
前記逆止め弁３を、弁体３４がガイドされることによって弁座に対し垂直に当接し作動するリフト逆止め弁３１としたことを特徴とする前記請求項１に記載の排水装置。
【請求項３】
前記逆止め弁３の弁体３４を一点を支点として弧状運動を行い、流体の逆流時にも弁座に圧着するスイング逆止め弁３２としたことを特徴とする前記請求項１に記載の排水装置。
【請求項４】
前記逆止め弁３を、上流側に形成された開口部、開口部から連続して形成され、先端が互いに当接する弾性の板状に形成された一対の弁体３４、から構成される自己閉鎖弁３３から構成されることを特徴とする前記請求項１に記載の排水装置。
【請求項５】
前記絞り機構５を、断面視略山形形状となるよう形成されたことを特徴とする前記請求項１乃至請求項４のいずれか一つに記載の排水装置。
【請求項６】
前記絞り機構５を、下方に向けて縮径する漏斗形状となるようノズル状に形成したことを特徴とする前記請求項１乃至請求項４のいずれか一つに記載の排水装置。
【発明の詳細な説明】
【技術分野】
【０００１】
本発明は、室内側に下水からの異臭や害虫の逆流を防止する為や、排水管の下流からの逆流水を上流側へ逆流することを防止する為などで用いられる、排水管内の逆止め弁が使用される排水装置に関するものである。
【背景技術】
【０００２】
従来よく知られた排水装置としては、例えば図１３に示したものがある。この排水装置は、例えば洗面ボウルや台所のキッチンシンク、浴室などに用いられる排水装置である。
この排水装置は、槽体と、排水口と、排水管と、水封式排水トラップと、から構成される。
槽体は、本従来例では洗面所に用いられる洗面ボウルである。具体的には、箱体であって、箱体の下部にはキャビネットが構成されている。
排水口は、槽体底面に開口される孔であって、後述する排水管が接続される。また、槽体内の排水は排水口から排水管へと排出される。
排水管は、排水口に接続された管体であって、この管体は最終的には下水管へと配管される。
水封式排水トラップは、本従来例では排水管を略Ｕ字状に屈曲させた管体であって、該屈曲部分に排水の一部を貯水することで排水管をシールし、下水からの臭気や害虫を室内側へ逆流させないようにする部材である。また、水封式排水トラップは最終的には下水管へと接続される。（特許文献１）
【０００３】
上記従来例の排水装置は以下のような排水の流れとなる。
洗面ボウルである槽体内に排水が発生すると、排水口に開口した排水口から排水管内へと排水が排出され、排水管に接続された水封式排水トラップ内に排水が排水される。その後、排水トラップを通過した排水は最終的には下水管へと排水される。
【０００４】
従来よく知られた排水装置としては、例えば図１４に示したものがある。この排水装置は、例えば洗面ボウルや台所のキッチンシンク、浴室などに用いられる排水装置である。
この排水装置は、槽体と、排水口と、排水管と、自己閉鎖弁と、から構成される。
槽体は、本従来例では洗面所に用いられる洗面ボウルである。具体的には、箱体であって、箱体の下部にはキャビネットが構成されている。
排水口は、槽体底面に開口される孔であって、後述する排水管が接続される。また、槽体内の排水は排水口から排水管へと排出される。
排水管は、排水口に接続された管体であって、この管体は最終的には下水管へと配管される。また、排水管内部には後述する自己閉鎖弁を配置構成する。
自己閉鎖弁は、弾性を有する樹脂により形成されており、上流側の端部が開放された軸方向視円形の開口部が形成されるとともに、下流側の端部はこの開口部から連続して形成され側部が閉じられた一対の弁体の先端を重ねた形状となっている。これにより、外力が加わっていない場合及び下流側から圧力が加わった場合には、弁体の先端が重ね合わされた状態を維持して、下流からの臭気などの上流側への逆流を防ぎ、上流側から排水が流入した場合には、弁体の先端が離反して排水を下流側に流下させることができる。（特許文献２）
【０００５】
上記の排水装置は以下のような排水の流れとなる。
洗面ボウルである槽体内に排水が発生すると、排水口に開口した排水口から排水管内へと排水が排出され、排水管内に配置された自己閉鎖弁内に排水が排水される。排水の圧力により自己閉鎖膜がその弾性により弁体部分が開口し、排水が弁体を通過することとなる。その後、自己閉鎖弁を通過した排水は最終的には下水管へと排水される。
【先行技術文献】
【特許文献】
【０００６】
【特許文献１】特開２００３−３０１４９１号公報
【特許文献２】特開２０１２−１３６８３６号公報
【発明の概要】
【発明が解決しようとする課題】
【０００７】
前記した従来例（特許文献１）の一般的な水封式排水トラップを使用した排水装置は、例えば槽体から多量の排水を排出した際などに発生する、排水管体内が満水になり負圧になることよって、水封式排水トラップの封水までも負圧により吸引されて、封水が無くなってしまう破封とよばれる現象が発生しやすい。このような破封が発生してしまうと、排水管の室内側と下水側をシールするための封水が無くなってしまうので、下水からの臭気や害虫が室内側へと逆流してしまうといった問題が発生する。（特許文献１）
また、前記した従来例（特許文献２）の排水装置では、水封式排水トラップの上記課題を解決するために水封式排水トラップの代用として逆止め弁である自己封鎖弁を使用している。この自己閉鎖弁を用いた排水装置では、上記のように封水を内部に備えないから、管体内が負圧になったとしても、排水が終了すれば排水管のシールは自身の弁体が閉鎖する為、下水側と室内側は適切に遮断され、下水からの臭気や害虫が室内側へ逆流することがない。しかしながら、水封式排水トラップと比較すれば非常に有益な自己閉鎖弁は以下の問題がある。
槽体に排水が発生した場合に、排水は排水口から排水管内に排出されるが、管体が満水となる前は排水管内周面に沿うように流下してゆく。そうすると、逆止め弁である自己封鎖弁にも外周に沿うように排水が流下することとなる。そうすると、逆止め弁である自己封鎖弁の当接している弁体には排水が流下する外周部分しか水圧が加わらず、弁体が十分に開口することができず、初期の排水時点での排水流量が非常に悪かった。
また、当該問題は自己封鎖弁にだけ発生しうる課題ではなく、例えばリフト式逆止め弁であったり、スイング式逆止め弁でも、弁体に加わる排水の水圧が初期排水時であれば弁体の外周にしか加わらず、弁体に加わる圧力の分布にバラツキが発生し、弁体の開口が非常に悪く、結果的に排水流量が非常に悪かった。
【０００８】
以上のことから、本願発明は以下の課題を解決する。
１．逆止め弁を用いた排水装置において、初期排水時の排水が排水管の外周から流下する場合でも、逆止め弁が円滑に開口するようにする。
２．逆止め弁を用いた排水装置において、排水流量を向上させる。
【課題を解決するための手段】
【０００９】
請求項１に記載の排水装置は、排水管２と、排水管２内に構成配置される、常時閉塞し、尚かつ排水が発生した際には開口する弁体３４を備えた逆止め弁３と、から構成される排水装置において、前記逆止め弁３より上流に、排水管２の内径を縮めて断面積を狭めた絞り機構５を構成したことを特徴とする排水装置である。
【００１０】
請求項２に記載の排水装置は、前記逆止め弁３を、弁体３４がガイドされることによって弁座に対し垂直に当接し作動するリフト逆止め弁３１としたことを特徴とする前記段落０００９に記載の排水装置である。
【００１１】
請求項３に記載の排水装置は、前記逆止め弁３の弁体３４を一点を支点として弧状運動を行い、流体の逆流時にも弁座に圧着するスイング逆止め弁３２としたことを特徴とする前記段落０００９に記載の排水装置である。
【００１２】
請求項４に記載の排水装置は、前記逆止め弁３を、上流側に形成された開口部、開口部から連続して形成され、先端が互いに当接する弾性の板状に形成された一対の弁体３４、から構成される自己閉鎖弁３３から構成されることを特徴とする前記０００９に記載の排水装置である。
【００１３】
請求項５に記載の排水装置は、前記絞り機構５を、断面視略山形形状となるよう形成されたことを特徴とする前記段落０００９乃至段落００１２のいずれか一つに記載の排水装置である。
【００１４】
請求項６に記載の排水装置は前記絞り機構５を、下方に向けて縮径する漏斗形状となるようノズル状に形成したことを特徴とする前記段落０００９乃至段落００１２のいずれか一つに記載の排水装置である。
【発明の効果】
【００１５】
請求項１に記載の本発明は、逆止め弁３より上流に、排水管２の内径を縮めて断面積を狭めた絞り機構５を構成したことから、排水管２の外周から排水が流下しても、絞り機構５によって排水管２の中央部分に排水が流下され、逆止め弁３の中央に排水が流下されることになるので、逆止め弁３の作動性が向上し、排水流量が向上する。また、絞り機構５を構成したことによってベンチュリ効果が発生し、排水管２内に負圧が生じ、結果的に排水流量が向上する。また、排水管２内に負圧が生じても、本発明は逆止め弁３が構成されている為、自身で排水管２を常時閉塞するため排水管２内の負圧に影響されない。従って水封式排水トラップと比較した場合に排水管２内に負圧が発生しても封水切れによる破封現象、例えば下水からの臭気や害虫が室内側へ逆流してしまう現象が発生しない。
請求項２に記載の本発明は、逆止め弁３を、弁体３４がガイドされることによって弁座に対し垂直に当接し作動するリフト逆止め弁３１としたことから、自身で排水管２を常時閉塞することができるため排水管２内の負圧に影響されない。従って水封式排水トラップと比較した場合に排水管２内に負圧が発生しても封水切れによる破封現象、例えば下水からの臭気や害虫が室内側へ逆流してしまう現象が発生しない。
請求項３に記載の本発明は、逆止め弁３の弁体３４を一点を支点として弧状運動を行い、流体の逆流時にも弁座に圧着するスイング逆止め弁３２としたことから、自身で排水管２を常時閉塞することができるため排水管２内の負圧に影響されない。従って水封式排水トラップと比較した場合に排水管２内に負圧が発生しても封水切れによる破封現象、例えば下水からの臭気や害虫が室内側へ逆流してしまう現象が発生しない。
請求項４に記載の本発明は、逆止め弁３を、上流側に形成された開口部３１１、開口部３１１から連続して形成され、先端が互いに当接する弾性の板状に形成された一対の弁体３４、から構成される自己閉鎖弁３３から構成したことにより自身で排水管２を常時閉塞することができるため排水管２内の負圧に影響されない。従って水封式排水トラップと比較した場合に排水管２内に負圧が発生しても封水切れによる破封現象、例えば下水からの臭気や害虫が室内側へ逆流してしまう現象が発生しない。
請求項５に記載の本発明は、絞り機構５を、断面視略山形形状となるよう形成したことにより、排水管２の通水面積を一旦縮小または狭窄することができ、山形部分の上流より山形部分の下流に負圧が発生し、排水を負圧により引き込むことが出来、排水流量が結果的に向上する。尚、この効果をベンチュリ効果と呼ぶ。このベンチュリ効果とは、流体の流れの断面積を狭めて流速を増加させ、圧力が低い部分が作り出される現象を指す。また、排水に負圧が生じる前の初期排水時においては、排水管２の内周に沿うように排水がされても、絞り機構５によって内周から排水管２の中央部分（中心軸部分）に強制的に排水が流下するため、下流に配置された逆止め弁３の中央に排水が流下することができる。
請求項６に記載の本発明は、絞り機構５を、下方に向けて縮径する漏斗形状したことにより、排水管２の通水面積を一旦縮小または狭窄することができる。また漏斗形状上流より漏斗形状より下流に負圧が発生し、排水を負圧により引き込むことが出来、排水流量が結果的に向上する。尚、この効果をベンチュリ効果と呼ぶ。このベンチュリ効果とは、流体の流れの断面積を狭めて流速を増加させ、圧力が低い部分が作り出される現象を指す。また、排水に負圧が生じる前の初期排水時においては、排水管２の内周に沿うように排水がされても、絞り機構５によって内周から排水管２の中央部分（中心軸部分）に強制的に排水が流下するため、下流に配置された逆止め弁３の中央に排水が流下することができる。
【図面の簡単な説明】
【００１６】
【図１】実施例１の排水装置の逆止め弁（自己閉鎖弁）が閉塞時を示す断面図である。
【図２】実施例１の排水装置の逆止め弁（自己閉鎖弁）が開口した時を示す断面図である。
【図３】実施例２の排水装置の逆止め弁（スイング式逆止め弁）が閉塞時を示す断面図である。
【図４】実施例２の排水装置の逆止め弁（スイング式逆止め弁）が開口した時を示す断面図である。
【図５】実施例３の排水装置の逆止め弁（リフト逆止め弁）が閉塞時を示す断面図である。
【図６】実施例３の排水装置の逆止め弁（リフト逆止め弁）が開口した時を示す断面図である。
【図７】その他の実施例の絞り機構を示す断面図である。
【図８】その他の実施例の絞り機構を示す断面図である。
【図９】その他の実施例の絞り機構を示す断面図である。
【図１０】その他の実施例の絞り機構を示す断面図である。
【図１１】その他の実施例の絞り機構を示す断面図である。
【図１２】その他の実施例の絞り機構を示す断面図である。
【図１３】従来例（特許文献１）を示す断面図である。
【図１４】従来例（特許文献２）を示す断面図である。
【発明を実施するための形態】
【実施例１】
【００１７】
以下に図１乃至図２に図示した排水装置の実施例を、図面を参照しつつ説明する。
本実施例の排水装置は、槽体１と、排水口１２と、排水管２と、絞り機構５と、逆止め弁３と、から構成される。
槽体１は、本実施例では洗面台のボウルであって、架台等の上に載置される内部に排水を貯水／排水する箱体である。
排水口１２は、槽体１底面に開口された孔であって、下方に排水管２が接続される。当該排水口１２によって、槽体１内に貯水した排水を槽体１外へ排出することができる。また、排水口１２には図示しないが栓体が備えられ、使用者が当該栓体によって排水口１２を閉塞／開口することにより槽体１内の貯水／排水をコントロールする。
排水管２は、前記排水口１２に接続される管体であって、最終的には床下の下水管へと接続される管体である。尚、当該排水管２内には、後述する逆止め弁３を配置構成する。
絞り機構５は、入り口円筒部５１、入り口円錐管５２、スロート部５３、出口円錐管５４、とから構成される。尚、入り口円筒部５１、入り口円錐管５２、スロート部５３、出口円錐管５４はいずれも排水管２の管路の中心軸と同軸に配置構成されている。
入り口円筒部５１は、排水管２の管路内周と略同径の管路であって、排水口１２から流下した排水が一番最初に到達する絞り機構５内への入り口部分である。また、後述するスロート部５３に対して上流側に位置する部分となる。
入り口円錐管５２は、入り口円筒部５１から続いて角度のある傾斜面を備えた円錐管形状となっている箇所である。最終的には後述のスロート部５３まで連続する。当該角度は下流に向かう程縮径するように構成される。
スロート部５３は、排水管２の内周面の通水面積を中心軸方向に縮めた部分であって、排水管路の通水面積の最小断面部分である。このスロート部５３は、入り口円錐管５２から連続して構成され、後述する出口円錐管５４へと連続する。尚、スロート部５３は入り口円錐管５２の傾斜角度の始点から出口円錐管５４の傾斜角度の終点までの垂直距離の長さの三分の二の位置にくるように構成されている。
出口円錐管５４は、前記スロート部５３から連続する傾斜角度を備えた円錐管形状を成している。また、当該角度は下流に向かうほど拡径するように構成される。この出口円錐管５４の傾斜面の角度は、入り口円錐管５２の傾斜角度よりも小さい角度となるように構成される。
絞り機構５は、断面視上流側の傾斜面の角度（入り口円錐管５２の傾斜角度）が下流側の傾斜面の角度（出口円錐管５４の傾斜角度）よりも大きい三角形形状となっている。
また、当該絞り機構５によって、排水管２の通水面積を一旦縮小または狭窄することによりスロート部５３上流よりスロート部５３下流に負圧が発生し、排水を負圧により引き込むことが出来、排水流量が結果的に向上する。尚、この効果をベンチュリ効果と呼ぶ。このベンチュリ効果とは、流体の流れの断面積を狭めて流速を増加させ、圧力が低い部分が作り出される現象を指す。また、排水に負圧が生じる前の初期排水時においては、排水管２の内周に沿うように排水がされても、絞り機構５のスロート部５３によって内周から排水管２の中央部分（中心軸部分）に強制的に排水が流下するため、下流に配置された逆止め弁３の中央に排水が流下することができる。
逆止め弁３は、本実施例では自己閉鎖弁３３と呼ばれる、自身の弾性力により弁体３４を封鎖することのできる逆止め弁３を使用している。
自己閉鎖弁３３は、弾性を有する樹脂により形成されており、上流側の端部が開放された軸方向視円形の開口部３１１が形成されるとともに、下流側の端部はこの開口部３１１から連続して形成され側部が閉じられた一対の弁体３４の先端を重ねた形状となっている。これにより、外力が加わっていない場合及び下流側から圧力が加わった場合には、弁体３４の先端が重ね合わされた状態を維持して、下流からの臭気などの上流側への逆流を防ぎ、上流側から排水が流入した場合には、弁体３４の先端が離反して排水を下流側に流下させることができる。この自己閉鎖弁３３は、前記排水管２内の前記絞り機構５の下流側に配置構成する。
【００１８】
上記排水装置は以下のような排水の流れとなる。
槽体１内に排水が発生すると、槽体１底部の排水口１２から排水口１２に接続された排水管２へと排水される。排水管２内の排水は絞り機構５の入り口円筒部５１を介して入り口円錐管５２内に流入する。そしてスロート部５３を通過して出口円錐管５４へと排水される。
この絞り機構５に排水が通過する際には以下の作用が発生する。
スロート部５３によって排水管２内が一旦縮径することによりスロート部５３上流よりスロート部５３下流に負圧が発生し、負圧により排水を下流側へと引き込まれ排水流量が結果的に向上する。（ベンチュリ効果）また、排水に負圧が生じる前の初期排水時においては、排水管２の内周に沿うように排水がされても、絞り機構５のスロート部５３によって内周から排水管２の中央部分（中心軸部分）に強制的に排水が流下するため、下流に配置された自己閉鎖弁３３中央に排水が流下することができる。この自己閉鎖弁３３は開口部３１１から連続して形成され側部が閉じられた一対の弁体３４の先端を重ねた形状に弁体３４が構成されている為、閉じられた側部方向から排水が流入すると弁体３４に加わる水圧が小さい為、出来るだけ弁体３４の中央部分に流下するほうが良い。そして、当該絞り機構５のスロート部５３によって、排水は弁体３４に対し中心軸付近に流下できるので、弁体３４にバランス良く排水が流下することが出来るので、弁体３４の開口／閉口の作動性が非常に優れている。
また、絞り機構５から排水された排水は逆止め弁３である自己閉鎖弁３３に到達する。自己閉鎖弁３３の開口部３１１から排水は流入し、排水の圧力により自己閉鎖弁３３の弁体３４の当接が解除され、弁体３４が開口し、自己閉鎖弁３３の下流側へと排水が排水される。最終的に排水は排水管２から下水管へと排水される。また、排水が終了すると、自己閉鎖弁３３の弁体３４が自身の弾性により再度当接し閉塞することができる。自己閉鎖弁３３が閉塞すると排水管２の下水側と室内側は遮断されるので、下水からの臭気や害虫が室内側へと逆流することはない。
【実施例２】
【００１９】
以下に第二実施例の排水装置の実施例を、図面を参照しつつ説明する。
本実施例の排水装置は、図３及び図４に記載した槽体１と、排水口１２と、排水管２と、絞り機構５と、逆止め弁３と、から構成される。
槽体１は、本実施例では洗面台のボウルであって、架台等の上に載置される内部に排水を貯水／排水する箱体である。
排水口１２は、槽体１底面に開口された孔であって、下方に排水管２が接続される。当該排水口１２によって、槽体１内に貯水した排水を槽体１外へ排出することができる。また、排水口１２には図示しないが栓体が備えられ、使用者が当該栓体によって排水口１２を閉塞／開口することにより槽体１内の貯水／排水をコントロールする。
排水管２は、前記排水口１２に接続される管体であって、最終的には床下の下水管へと接続される管体である。尚、当該排水管２内には、後述する逆止め弁３を配置構成する。
絞り機構５は、入り口円筒部５１、入り口円錐管５２、スロート部５３、出口円錐管５４とから構成される。尚、入り口円筒部５１、入り口円錐管５２、スロート部５３、出口円錐管５４はいずれも排水管２の管路の中心軸と同軸に配置構成されている。
入り口円筒部５１は、排水管２の管路内周と略同径の管路であって、排水口１２から流下した排水が一番最初に到達する絞り機構５内への入り口部分である。また、後述するスロート部５３に対して上流側に位置する部分となる。
入り口円錐管５２は、入り口円筒部５１から続いて角度のある傾斜面を備えた円錐管形状となっている箇所である。最終的には後述のスロート部５３まで連続する。当該角度は下流に向かう程縮径するように構成される。
スロート部５３は、排水管２の内周面の通水面積を中心軸方向に縮めた円筒状の箇所であって、排水管路の通水面積の最小断面部分である。このスロート部５３は、入り口円錐管５２から連続して構成され、円筒部分を介して後述する出口円錐管５４へと連続する。
出口円錐管５４は、前記スロート部５３から、出口まで連続する傾斜角度を備えた円錐管形状を成している。また、当該角度は下流に向かうほど拡径するように構成される。この出口円錐管５４の傾斜面の角度は、入り口円錐管５２の傾斜角度と略同一角度となるように構成される。
また、絞り機構５のスロート部５３の周囲の形状は、断面視台形形状となっている。
また、当該絞り機構５によって、排水管２の通水面積を一旦縮小または狭窄することによりスロート部５３上流よりスロート部５３下流に負圧が発生し、排水を負圧により引き込むことが出来、排水流量が結果的に向上する。また、排水に負圧が生じる前の初期排水時においては、排水管２の内周に沿うように排水がされても、絞り機構５のスロート部５３によって内周から排水管２の中央部分（中心軸部分）に強制的に排水が流下するため、下流に配置された逆止め弁３の中央に排水が流下することができる。
逆止め弁３は、本実施例ではスイング逆止め弁３２と呼ばれる、一点を支点として弧状運動を行う弁体３４を用いる。本実施例では、回動自在なピンを軸として常時弁体３４が閉口する方向に付勢されたアーム部４が備えられ、当該アーム部４に弾性部材から成る弁体３４が構成される。
また、排水管２には弁座が構成され、当該弁座には上記弁体３４が常時着座するようになっている。
当該スイング逆止め弁３２は、バネ等の付勢により常時弁座に弁体３４が閉口しており、更に弁体３４が開口中に下流から排水が逆流しても、背圧により弁体３４が弁座に圧着する。
このスイング逆止め弁３２は、排水が発生すると排水の圧力や加重により弁体３４が押し下げられ、弁体３４に連動してアーム部４がピンを中心として回動する。そうすると弁体３４が弁座より離間するので排水管２の閉塞が開放され、排水管２上流からの排水を下流排水管２へと排水することができる。また、当該スイング逆止め弁３２は常時閉塞しているので、下流からの臭気などが上流側へ逆流するのを防ぎ、また上流側から排水が流入した場合には、弁体３４が排水の圧力により下方に押動される。すると付勢されていた弁体３４が、ピンを軸として回動し弁座から離反して排水管２の閉塞が開口され、排水を下流側に流下させることができる。
【００２０】
上記排水装置は以下のような排水の流れとなる。
槽体１内に排水が発生すると、槽体１底部の排水口１２から排水口１２に接続された排水管２へと排水される。排水管２内の排水は絞り機構５の入り口円筒部５１を介して入り口円錐管５２内に流入する。そしてスロート部５３を通過して出口円錐管５４、出口へと排水される。
この絞り機構５に排水が通過する際には以下の作用が発生する。
スロート部５３によって排水管２内が一旦縮径することによりスロート部５３上流よりスロート部５３下流に負圧が発生し、負圧により排水を下流側へと引き込まれ排水流量が結果的に向上する。（ベンチュリ効果）また、排水に負圧が生じる前の初期排水時においては、排水管２の内周に沿うように排水がされても、絞り機構５のスロート部５３によって内周から排水管２の中央部分（中心軸部分）に強制的に排水が流下するため、下流に配置されたスイング逆止め弁３２の弁体３４中央に排水が流下することができる。このスイング逆止め弁３２は、アーム部４によってピンと弁体３４が常時付勢されている為、弁体３４に加わる応力が中央部分のほうが直接的に付勢力に対向できるので、絞り機構５のスロート部５３によって、排水は弁体３４に対し中心軸付近に流下できるので、弁体３４にバランス良く排水が流下することが出来る。従って弁体３４の開口／閉口の作動性が非常に優れている。
また、絞り機構５から排水された排水は逆止め弁３であるスイング逆止め弁３２に到達する。スイング逆止め弁３２に排水が流下し、この排水の圧力によりスイング逆止め弁３２の弁体３４の着座が解除され、ピンを軸として回動する。弁体３４が開口し、スイング逆止め弁３２の下流側へと排水が排水される。最終的に排水は排水管２から下水管へと排水される。また、排水が終了すると、スイング逆止め弁３２の弁体３４が付勢力により再度弁座に着座し排水管２を閉塞することができる。スイング逆止め弁３２が閉塞すると排水管２の下水側と室内側は遮断されるので、下水からの臭気や害虫が室内側へと逆流することはない。
【実施例３】
【００２１】
以下に第三実施例の排水装置の実施例を、図面を参照しつつ説明する。
本実施例の排水装置は、図５及び図６に示したように、槽体１と、排水口１２と、排水管２と、絞り機構５と、逆止め弁３と、から構成される。
槽体１は、本実施例では洗面台のボウルであって、架台等の上に載置される内部に排水を貯水／排水する箱体である。
排水口１２は、槽体１底面に開口された孔であって、下方に排水管２が接続される。当該排水口１２によって、槽体１内に貯水した排水を槽体１外へ排出することができる。また、排水口１２には図示しないが栓体が備えられ、使用者が当該栓体によって排水口１２を閉塞／開口することにより槽体１内の貯水／排水をコントロールする。
排水管２は、前記排水口１２に接続される管体であって、最終的には床下の下水管へと接続される管体である。尚、当該排水管２内には、後述する逆止め弁３を配置構成する。
絞り機構５は、ノズルやフローノズルとよばれる、筒状であって、出口部分に行くにしたがって狭窄する漏斗状の部材を用いる。本実施例ではノズル５６と呼ぶ。
絞り機構５のノズル５６は、入り口円錐管５２、スロート部５３、によって構成される。
入り口円錐管５２は、ノズル５６の入り口から続いて形成される角度のある傾斜面を備えた円錐管形状となっている箇所である。後述のスロート部５３まで狭窄するように連続する。当該角度は下流に向かう程縮径するように構成される。
スロート部５３は、排水管２の内周面の通水面積を中心軸方向に縮めた円筒状の箇所であって、排水管路の通水面積の最小断面部分である。このスロート部５３は、入り口円錐管５２から連続して構成され、出口側端部は円筒形状となっている。尚、本実施例では出口側端部は円筒状としているがこの部分を中心軸方向に向かって縮径するように傾斜角度を備えたり、更に逆に外側方向に向かって傾斜する角度を備えても構わない。
また、絞り機構５のノズル５６の形状は、断面視漏斗形状となっている。
また、当該絞り機構５によって、排水管２の通水面積を一旦縮小または狭窄することによりスロート部５３上流よりスロート部５３下流に負圧が発生し、排水を負圧により引き込むことが出来、排水流量が結果的に向上する。また、排水に負圧が生じる前の初期排水時においては、排水管２の内周に沿うように排水がされても、絞り機構５のスロート部５３によって内周から排水管２の中央部分（中心軸部分）に強制的に排水が流下するため、下流に配置された逆止め弁３の中央に排水が流下することができる。
逆止め弁３は、本実施例ではリフト逆止め弁３１と呼ばれる、弁体３４がガイドされることによって弁座に対し垂直に当接し作動する逆止め弁３を使用する。
当該リフト逆止め弁３１は、排水管２の管路途中に弁座面を構成し、当該弁座面中心（管路中心）に軸３１１を構成し、当該軸３１１に対して上下動自在に動作するリング状の弁体３４を軸３１１外周に配置構成する。また、軸３１１下端には弁止めを構成し、弁止めと弁体３４の間には、常時弁体３４が上方向（弁体３４が閉塞する方向）に付勢するスプリング３１２を配置している。このスプリング３１２により、弁体３４は常時弁座面に着座して排水管２を閉塞する。そして、上流から排水が流下した場合には、排水の圧力により弁体３４に負荷が加わり、弁体３４に向けられたスプリング３１２の付勢力に対向して弁体３４が下降することができる。弁体３４が下降すると弁座が開口するので排水が弁体３４より下流に排水することができる。また、排水が終了すると、弁体３４に対して応力が無くなるので弁体３４に向けられたスプリング３１２の付勢力により弁体３４が上昇し、弁座面に着座する。そうすると排水管２は弁体３４によって閉塞されるので、排水管２の下水からの臭気や害虫が室内側へ逆流することがない。また、弁体３４が開口中（つまり排水中）に下流から排水が逆流しても、背圧により弁体３４が弁座に圧着するため逆流水が室内側へ逆流する事もない。
【００２２】
上記排水装置は以下のような排水の流れとなる。
槽体１内に排水が発生すると、槽体１底部の排水口１２から排水口１２に接続された排水管２へと排水される。排水管２内の排水は絞り機構５のノズル５６入り口に流入する。そしてスロート部５３を通過して出口からノズル５６外へと排水される。
この絞り機構５に排水が通過する際には以下の作用が発生する。
スロート部５３によって排水管２内が一旦縮径することによりスロート部５３上流よりスロート部５３下流に負圧が発生し、負圧により排水を下流側へと引き込まれ排水流量が結果的に向上する。（ベンチュリ効果）また、排水に負圧が生じる前の初期排水時においては、排水管２の内周に沿うように排水がされても、絞り機構５のスロート部５３によって内周から排水管２の中央部分（中心軸部分）に強制的に排水が流下するため、下流に配置されたリフト逆止め弁３１の弁体３４中央に排水が流下することができる。このリフト逆止め弁３１は、弁軸３１１下端から弁体３４までスプリング３１２によって弁体３４が常時閉塞する方向に付勢されている為、弁体３４に加わる応力が中央部分のほうが直接的に付勢力に対向できるので、絞り機構５のスロート部５３によって、排水は弁体３４に対し中心軸付近に流下できるので、弁体３４にバランス良く排水が流下することが出来る。従って弁体３４の開口／閉口の作動性が非常に優れている。また、軸３１１が排水管２に対して中央に配置され、スプリング３１２も軸３１１に対して中央に配置されているので、排水の応力がより強くスプリング３１２に働きかけることができるので更に弁の作動性が良くなる。
また、絞り機構５から排水された排水は逆止め弁３であるリフト逆止め弁３１に到達する。リフト逆止め弁３１に排水が流下し、この排水の圧力によりリフト逆止め弁３１の弁体３４の着座が解除され、軸３１１を軸として下降する。そうすると排水管２が開口し、リフト逆止め弁３１の下流側へと排水が排水される。最終的に排水は排水管２から下水管へと排水される。また、排水が終了すると、リフト逆止め弁３１の弁体３４が付勢力により再度弁座に着座し排水管２を閉塞することができる。リフト逆止め弁３１が閉塞すると排水管２の下水側と室内側は遮断されるので、下水からの臭気や害虫が室内側へと逆流することはない。
【００２３】
本発明は前記した実施例のほか、特許請求の範囲を越えない範囲で適宜変更は可能である。
例えば、前記実施例の排水装置では排水管２を側面方向に屈曲して構成しているが、適宜直管等の配管にしてもかまわない。
また、前記実施例の排水装置は洗面ボウルに使用されているが、台所やフロ等の排水管２に使用されてもかまわない。
また、図７に示したように、絞り機構５の形状を、断面視上流側の傾斜面及び下流側の傾斜面が等辺となる略二等辺三角形形状としてもかまわない。
また、図８に示したように、絞り機構５の形状を、断面視略直角三角形の形状とし、且つ下流側に斜面が構成されてもかまわない。
また、図９に示したように、絞り機構５の形状を、断面視略直角三角形の形状とし、且つ上流側に斜面が構成されてもかまわない。
また、図１０に示したように、絞り機構５の形状を、断面視上流側の傾斜面の角度が下流側の傾斜面の角度よりも小さい角度の形状としてもかまわない。
また、図１１に示したように、絞り機構５の形状は山形状であっても、断面視が絞り機構５の入り口からスロート部５３まで盛り上がるような傾斜で連続するように構成しても構わない。
また、図１２に示したように、絞り機構５の形状は山形状であっても、断面視が絞り機構５の入り口からスロート部５３までえぐれた形の傾斜で連続するように構成しても構わない。
また、前記実施例では入り口円筒部５１を構成したが、特に構成しなくてもかまわない。
また、前記実施例では出口に円筒部（出口円筒部５５）を構成していないが、図７乃至図１２に記載しているように構成しても良い。この出口円筒部５５は、出口円錐管５４より続いて、排水管２内周とほぼ同径とした円筒管部分である。
【符号の説明】
【００２４】
１      槽体
１２    排水口
２      排水管
３      逆止め弁
３１    リフト逆止め弁
３１１  軸
３１２  スプリング
３２    スイング逆止め弁
３３    自己封鎖弁
３３１  開口部
３４    弁体
４      アーム部
５      絞り機構
５１    入り口円筒部
５２    入り口円錐管
５３    スロート部
５４    出口円錐管
５５    出口円筒部
５６    ノズル
【図１】
2014163159.tif 000003
【図２】
2014163159.tif 000004
【図３】
2014163159.tif 000005
【図４】
2014163159.tif 000006
【図５】
2014163159.tif 000007
【図６】
2014163159.tif 000008
【図７】
2014163159.tif 000009
【図８】
2014163159.tif 000010
【図９】
2014163159.tif 000011
【図１０】
2014163159.tif 000012
【図１１】
2014163159.tif 000013
【図１２】
2014163159.tif 000014
【図１３】
2014163159.tif 000015
【図１４】
2014163159.tif 000016